(57)【特許請求の範囲】
【請求項１】
歯車本体、該歯車本体の中心から歯車本体の軸方向一方に向けて延設された軸体、及び該歯車本体の該軸方向一方側に設けられ、該軸体に連結された、該歯車本体よりも大径のストッパー用歯車体を具備する歯車と、
上記軸体が中心軸となるように該軸体に連結されたぜんまいばねと、
上記歯車本体と噛合する上下一対のラックと、
ラックの左右方向への移動により付勢されたぜんまいの付勢状態を解除自在に保持するストッパー機構と、
上記歯車の上記軸方向一方側を収容し、軸方向他方側を露出させる開口を有するハウジング容器と、該ハウジング容器の該開口を封止する蓋体とからなるハウジングを具備し、
上記ハウジング容器は、底部と該底部の周縁から垂直方向に延設された壁体とからなり、該壁体にはラックを敷設するためのラック貫通部、上記壁体に形成された開口部と該開口部の一端から延設されたストッパー体とからなるストッパー部、及び壁体の内方に凹部を設けることで形成された、係合部受部が設けられて、上記ストッパー用歯車体及び上記ぜんまいばねを収納し、
上記ぜんまいばねは、長尺状で且つ同じ長さの２枚のばね材を重ねて渦巻き状に巻回して構成されており、それらの一端は上記軸体の径方向の対向する位置において上記軸体と一体となされており、他端は歯車の直径方向外方に向けて折り曲げられて係合部を構成しており、それぞれの該係合部は上記軸体の径方向の対向する位置に存在するように構成されており、
上記歯車本体は、上記ラックの歯切部分に係合し、上記ストッパー用歯車体は上記ストッパー体に係合し、上記係合部は上記係合部受部に収容される、
物品保持機構。
【請求項２】
２枚の上記ばね材の上記係合部は、それぞれ反対方向に向けて折り曲げられている請求項１記載の物品保持機構。
【請求項３】
上記ストッパー体はハウジング容器の内方に向かい延設された長方形状の基部と該基部の他端から折り返されるように連設され、ハウジング容器の外方に突出して設けられたボタン部と、該基部及びボタン部の連接部分において上記ストッパー用歯車体と噛合する噛合部とを有し、ボタン部をハウジング容器の軸方向内方に向けて押しこむと噛合部が軸方向外方側に向けて移動するようにストッパー体が湾曲しており、
これらの歯車及びハウジングにより上記ストッパー機構が構成されている、
請求項１記載の物品保持機構。
【請求項４】
請求項１記載の物品保持機構を具備し、一端に該物品保持機構を有すると共に他端に他の物品に引っ掛ける引掛け手段を有する引掛部材を有する、物品保持システム。
【請求項５】
さらに係合凹部を有するレール部材を有し、上記引掛け手段が該係合凹部に係合するように２つの鉤状部材を、所定間隔を空けて形成されている請求項４記載の物品保持システム。
【発明の詳細な説明】
【技術分野】
【０００１】
本発明は、物品保持機構とこれを使用した物品保持システムに関する。
【背景技術】
【０００２】
キッチンやデスク周りにおいてスマートフォンなどの各種物品を保持しておく機構については種々提案されている。
例えば、特許文献１においては、蓋部とトレーとからなり、蓋部をトレーの前面に係合可能とし、ケースを固定すると共に他物品に取付ける連結部材を設け、該連結部材を介して各種構造体に取付けて使用できる物品保持システムが提案されている。
また、特許文献２には、基体、抜止具、ねじりコイルばね及びカバーからなり、基体の下半体は、中央に挿入孔を設け、その周囲に案内溝を設けてあり、更に、基体の中で回動でき、一端面側には挿入凹部が穿設され、その底部中央には係合部を突設してある伝達具が設けられており、伝達具の一端面側には、挿入凹部を挟んで両側に抜止具が係合してあり、抜止具は、中央側に閉塞部を形成し反対側には、案内溝と係合する突起を設けてあり、シャフトの一端に挿入部を設け、他端に引掛部を設けてある吊掛具が設けられていると共に、挿入部の先端には、係合部と係合する駆動部を凹設してある物品保持システムが提案されている。
特許文献３には、構造体への取付手段を備えた一対の基部と、この一対の基部に渡されて設けられた軸と、この軸に吊り下げられたクリップとを備え、クリップは軸の軸線方向にスライド可能に設けられ、また、軸に対して、クリップの垂直軸線回りに回動可能に設けられた物品保持システムが提案されている。
【先行技術文献】
【特許文献】
【０００３】
【特許文献１】特開２００７−０３８８１５号公報
【特許文献２】特開平０６−１２１７２５号公報
【特許文献３】特開平０７−０９５９１９号公報
【非特許文献】
【０００４】
【非特許文献１】.
【発明の概要】
【発明が解決しようとする課題】
【０００５】
しかしながら、上述した物品保持システムなど従来の物品保持システムは、物品を引掛け、載置し、又は金属製のコイルバネや板バネによる付勢力を応用して物品を保持するという構成であるため、スマートフォンや携帯電話、メモ帳等様々なサイズの物品を保持する観点では不十分であった。また、クリップ型の保持機構等従来の保持機構では取外しが容易ではなく外す際に物品を落下させてしまうなどの問題もあった。
このため、様々なサイズの物品を良好に保持でき、簡易に取外しのできる物品保持機構や物品保持システムの提案が要望されているのが現状である。
【０００６】
したがって、本発明の目的は、様々なサイズの物品を良好に保持でき、簡易に取外しのできる物品保持機構、及びこれを用いた物品保持システムを提供することにある。
【課題を解決するための手段】
【０００７】
本発明者らは、上記課題を解消すべく鋭意検討した結果、ぜんまいばねを用いたラチェット構造を応用し目的を達成し得ることを知見し、本発明を完成するに至った。
すなわち、本発明は以下の各発明を提供するものである。
１．中心に軸体を有する歯車と、該軸体が中心軸となるように該軸体に連結されたぜんまいばねと、該歯車と噛合する上下一対のラックと、ラックの左右方向への移動により付勢されたぜんまいの付勢状態を解除自在に保持するストッパー機構とを有する、物品保持機構。
２．上記ぜんまいばねは、長尺状のばね材を渦巻き状に巻回して構成されており、その一端は上記軸体と一体となされており、他端は歯車の直径方向外方に向けて折り曲げられて係合部を構成している１記載の物品保持機構。
３．上記ぜんまいばねは、２枚の上記ばね材により構成されており、それぞれのばね材の上記係合部は、それぞれ反対方向に向けて折り曲げられている２記載の物品保持機構。
４．上記歯車は、歯車本体と歯車本体の中心から歯車本体の軸方向一方に向けて延設された上記軸体と該歯車本体の該軸方向一方側に設けられ上記軸体に連結されたストッパー用歯車体とを具備し、該軸体は該ストッパー用歯車体の該軸方向一方側に上記ばね材の一端を連設できる長さを有している２記載の物品保持機構。
５．さらに上記歯車の上記軸方向一方側を収容し、軸方向他方側を露出させる、開口を有するハウジング容器と、該ハウジング容器の該開口を封止する蓋体とからなるハウジングを具備し、
上記ハウジング容器は、底部と該底部の周縁から垂直方向に延設された壁体とからなり、該壁体には上記ラックを敷設するためのラック貫通部、上記壁体に形成された開口部と該開口部の一端から延設されたストッパー体とからなるストッパー部、及び壁体の内方に凹部を設けることで形成された、係合部を収容する係合部受部が設けられており、
上記ストッパー体はハウジング容器の内方に向かい延設された長方形状の基部と該基部の他端から折り返されるように連設され、ハウジング容器の外方に突出して設けられたボタン部と、該基部及びボタン部の連接部分において上記ストッパー用歯車体と噛合する噛合部とを有し、ボタン部をハウジング容器の軸方向内方に向けて押しこむと噛合部が軸方向外方側に向けて移動するようにストッパー体が湾曲しており、
これらの歯車及びハウジングにより上記ストッパー機構が構成されている、
４記載の物品保持機構。
６．１記載の物品保持機構を具備し、一端に該物品保持機構を有すると共に他端に他の物品に引っ掛ける引掛け手段を有する引掛部材を有する、物品保持システム。
７．さらに係合凹部を有するレール部材を有し、上記引掛け手段が該係合凹部に係合するように２つの鉤状部材を、所定間隔を空けて形成されている６記載の物品保持システム。
【発明の効果】
【０００８】
本発明の物品保持機構は、様々なサイズの物品を良好に保持でき、簡易に取外しのできるものである。
本発明の物品保持システムは、様々なサイズの物品を良好に保持でき、簡易に物品の取外しのできる物品保持機構や物品保持システムものである。
【図面の簡単な説明】
【０００９】
【図１】図１は、本発明の物品保持システムの１実施形態を示す分解斜視図である。
【図２】図２は、図１に示す実施形態における物品保持機構を構成する歯車及びぜんまいばねを示す図であり、（ａ）は斜視図、（ｂ）は（ａ）のｂ矢視図、（ｃ）は（ａ）のｃ矢視図である。
【図３】図３は、図１に示す実施形態の物品保持機構を構成するハウジングを示す図であり、（ａ）は斜視図、（ｂ）は（ａ）のｂ矢視図、（ｃ）は（ａ）のｃ矢視図、（ｄ）は（ａ）のｄ矢視図である。
【図４】図４は、図１に示す実施形態の物品保持機構を構成するハウジングの蓋体を示す斜視図である。
【図５】図５は、図１に示す実施形態の物品保持システムを組み立てた状態を示す使用態様図であり、（ａ）は斜視図、（ｂ）は（ａ）のｂ矢視図である。
【図６】図６は、図５に示す実施形態の物品保持システムをキッチンにおいて用いた態様を示す使用態様図であり、（ａ）は取り付けた状態を示す斜視図、（ｂ）は使用形態の別形態を示す斜視図、（ｃ）から（ｆ）は物品としてスマートフォンを取り付け及び取外しを行う態様を示す操作概要図である。
【符号の説明】
【００１０】
１０１：物品保持システム、１：物品保持機構、１１０：引掛部材、１２：軸体、１０：歯車、２０：ぜんまいばね、３０：ラック、４０：ハウジング、５０：ストッパー機構、４６：蓋体
【発明を実施するための形態】
【００１１】
以下、本発明を、図面を参照してさらに詳細に説明する。
本実施形態の物品保持システム１０１は、図１に示すように、本発明の物品保持機構１を具備し、一端に該物品保持機構を有すると共に他端に他の物品に引っ掛ける引掛け手段を有する引掛部材１１０を有する。
以下、更に詳述する。
＜物品保持機構＞
本実施形態の物品保持機構１は、中心に軸体１２を有する歯車１０と、軸体１２が中心軸となるように軸体１２に連結されたぜんまいばね２０と、歯車１０と噛合する上下一対のラック３０，３０と、ラックの左右方向への移動により付勢されたぜんまいばね２０の付勢状態を解除自在に保持するストッパー機構５０とを有する。
【００１２】
（歯車）
歯車１０は、図２に示すように、歯車本体１４と歯車本体１４の中心から歯車本体１４の軸方向一方に向けて延設された軸体１２と歯車本体１４の軸方向一方側に設けられ軸体１２に連結されたストッパー用歯車体１６とを具備している。歯車本体１４及びストッパー用歯車体１６は、それぞれ軸体１２に一体となされており、歯車本体１４やストッパー用歯車体１６の動きが直接軸体に伝わるようになされている。ここで、本明細書において「一体」とは別部材として形成したものを接着剤や締結部材を用いて一体化したものの他、成形過程において一体成型することにより一つの部材として形成されたものも含む意味である。
軸体１２は歯車本体の軸方向一方側においてストッパー用歯車体１６から外方に向けて延出されて、軸方向一方側にばね材の一端を連設できる長さを有している。また、軸体１２はその両端部が軸本体（図示せず）よりも大径となされており、歯車本体１４やぜんまいばね２０が脱落しにくいように構成されている。
歯車本体１４は、ストッパー用歯車体１６よりも小径とされており、これによってストッパー用歯車体１６と歯車本体１４との間の部分に後述するラック３０が収容されるように構成されている。
（ぜんまいばね）
ぜんまいばね２０は、図２に示すように、長尺状のばね材を渦巻き状に巻回して構成されている。また、ばねとしての機能を発揮するように、ばね材相互に接することがないように所定間隔を空けて巻回されているその一端は軸体１２に一体とされており、他端は歯車の直径方向外方に向けて折り曲げられて係合部２２を構成している。
本実施形態において、ぜんまいばね２０は、２枚のばね材により構成されている。これらのばね材はそれぞれ同じ長さを有しており、その一端が軸体１２の径方向の対向する位置において一体となされている。これにより、それぞれのばね材の係合部２２は、それぞれ軸体１２の径方向の対向する位置に存在するように構成されており、各係合部２２はそれぞれ反対方向、具体的には真逆の方向に向けて折り曲げられて形成されている。
【００１３】
（ハウジング）
図１に示すように、歯車１０及びぜんまいばね２０はハウジング４０内に設置されて使用される。すなわち本実施形態の物品保持システムは、ハウジング４０を具備する。ハウジング４０は、歯車１０の軸方向一方側を収容し、軸方向他方側を露出させる、開口４２ａを有するハウジング容器４２と、ハウジング容器４２の開口４２ａを封止する蓋体４６とからなる。
ハウジング容器４２は、底部４２ｂと底部４２ｂの周縁から垂直方向に延設された壁体４２ｃとからなり、壁体４２ｃにはラック３０を敷設するためのラック貫通部４２ｄ、上記壁体４２ｃに形成された開口部５２と開口部５２の一端から延設されたストッパー体５６とからなるストッパー部５４、及び壁体４２ｃの内方に凹部を設けることで形成された、係合部２２を収容する係合部受部４２ｅが設けられている。また、底部４２ｂの外方には後述するシステム用の保持部材と嵌合する球状の嵌合部４２ｆが、設けられている。また嵌合部４２ｆには、特に図示しないがハウジング容器を回転自在にする回転機構が設けられている。
ストッパー体５６は、特に図３（ｃ）に示すように、ハウジング容器４２の内方に向かって湾曲して延設された長方形状の基部５６ａと、基部５６ａの他端から湾曲して折り返されて連設され、ハウジング容器の外方に突出して設けられたボタン部５６ｂと、基部５６ａ及びボタン部５６ｂの連接部分においてストッパー用歯車体１６と噛合する噛合部５６ｃとを有している。そしてストッパー体５６全体が、ボタン部５６ｂをハウジング容器４２の軸方向内方に向けて押しこむと噛合部５６ｃが軸方向外方側に向けて移動するように湾曲して形成されている。また、ボタン部５６ｂはボタン５６ｂ−１と柄５６ｂ−２とからなり、基部５６ａよりもボタン部の柄５６ｂ−２の方が長く且つ湾曲率が大きくなるように形成されている。これにより後述するように噛合部５６ｃがボタン５６ｂ−１を押し込んだ時に上方へと移動しやすくなり、ストッパー用歯車体１６のリリース性能が良好なものとなる。
（ラック）
ラック３０は、図１に示すように、左右一対であり、基体３２と、基体３２の内側において物品を保持するために設けられた物品受け部３４、歯切部分３６ａを有するラック本体３６、ラック本体３６を支える支持部３８からなる。ラック本体３６には支持部３８を出入自在に挿入する挿入穴３６ｂが設けられており、支持部を挿入穴３６ｂに挿入することで左右一対のラックを安定に使用可能としている。
【００１４】
（ストッパー機構）
本実施形態においては、上述のように歯車２０及びハウジング４０によりストッパー機構５０が構成されている。具体的には、歯車本体１４が回転するとこれと一体とされた軸体１２が回転し、それによってぜんまいばね２０も回転しようとするが、ぜんまいばね２０の係合部２２はハウジング４０の係合部受部４２ｅに係合されるためぜんまいばねの回転は停止される。それによりラック３０を閉じる動作により回転方向とは逆の方向に歯車１０がばね付勢される。このとき、ばね付勢された歯車１０のうちストッパー用歯車体１６がストッパー体５６の噛合部５６ｃと噛み合い、歯車の回転がばね付勢された方向については停止された状態（ストッパー機構５０により歯車の回転が停止された状態）となり、これによりラック３０の物品受け部３４間に位置する物品が物品受け部３４で挟持され、保持される。そして、ボタン部５６ｂを下方向（矢印方向）に押し込むと図３（ｃ）に示すように噛合部５６ｃが上方（矢印方向）へと移動し、その結果ストッパー用歯車体１６から外れて、ばね付勢の停止状態が解除され、歯車２０がばね付勢された方向へと回転してラック３０が元の位置へと戻ることとなる。
また、蓋体４６は開口４２ａを封止するものであり、図４に示すように、ハウジング容器４２の壁体４２ｃに係合する４つの係合部４８を有している。
【００１５】
＜物品保持システム＞
ついで本発明の物品保持システム１０１について説明する。
本実施形態の物品保持システム１０１は、図１に示すように、上述の歯車１０、ぜんまいばね２０、ラック３０、ハウジング４０及び蓋体４６により構成される物品保持機構１を具備し、更に、一端に物品保持機構を保持する中間部材１２０を具備すると共に他端に他の物品に引っ掛ける引掛け手段１３０を有する引掛部材１１０を有する。
具体的には、引掛け部材１１０は、所定間隔を空けて配された円形の開口部１２２を有する２枚の保持部材１２４を有し、先端に係止部１２６が設けられた中間部材１２０を有する。そして引掛手段１３０は、開口１３２の形成された底部１３４と、底部１３４の対向する２辺から延設され、内方に湾曲すると共に先端に鉤状部１３６が形成されている。そして係止部１２６は特に図示しないが、所定間隔を空けて中央に穴が空けられていると共にスリットが設けられ２分割されたキノコ状部材となされており、開口１３２に係止部１２６を挿入し、さらに中央の穴に締結部材１４０を挿入することで引掛け手段を中間部材１２０に固定することができる。
これにより、図５に示すように、嵌合部４２ｆが開口部１２２に挟み込まれた状態となり、物品保持機構１が回動自在に引掛け部材１１０により保持されることになり、所望の角度に物品保持機構１を傾けた状態で使用に供することができる。
また、本発明の物品保持システム１０１は、図６（ａ）に示すように、さらに係合凹部２１０を有するレール部材２００を有し、引掛け手段１３０の鉤状部１３６が係合凹部２１０に係合させるシステムとしてもいい。このように構成することで、キッチン等種々状況下でスマートフォンなどの物品Ａを見やすい位置に固定してハンズフリー状態で他の作業を行いつつ画面を確認することが可能となる。また、図６（ｂ）に示すように物品保持機構１を回転させることによりスマートフォンを横向きにして使用することができる。
そして、この実施形態では物品受け部３４に弾性部材からなる掛止部材３４ａがはめ込まれており、物品を強固に保持できるように構成されている。
そして、本実施形態の物品保持システム１０１の使用時には図６（ｃ）に示すように、まずラック３０をとじ込んで物品を物品受け部３４で挟み込む。次に（ｄ）に示すようにレールに鉤状部１３６を挟み、物品保持機構１を固定する。また、使用終了時にはレールから鉤状部１３６を取外し、物品保持機構を外したうえでボタン部５６ｂを押し込む（図示せず）ことでストッパー機構５０を解除し、物品を解放することで使用を終了することができる。
【００１６】
本発明は上述した実施形態に何ら制限されるものではなく、本発明の趣旨を逸脱しない範囲で種々変形可能である。
【図１】
0006761922.tif 000002
【図２】
0006761922.tif 000003
【図３】
0006761922.tif 000004
【図４】
0006761922.tif 000005
【図５】
0006761922.tif 000006
【図６】
0006761922.tif 000007